(57)【特許請求の範囲】
【請求項１】
電気部品を前面に取付可能な前パネルおよび後パネルをデスク内に備えた操作デスクであって、
デスク上面側を構成する開閉可能なデスクパネルと、
デスク前面側に開閉可能な扉と、
前記後パネルを上下方向にスライド移動可能に保持する後パネル保持手段と、
を備えたことを特徴とする操作デスク。
【請求項２】
請求項１記載の操作デスクにおいて、
前記前パネルを前後方向にスライド移動可能に保持する前パネル保持手段を有する、ことを特徴とする操作デスク。
【請求項３】
請求項１記載の操作デスクにおいて、
前記前パネルを上下方向にスライド移動可能に保持する前パネル保持手段を有する、ことを特徴とする操作デスク。
【請求項４】
請求項１乃至３のいずれかに記載の操作デスクにおいて、
前記後パネルの代わりにトレイ状とした上パネルを有し、かつ、前記後パネル保持手段の代わりに上下方向にスライド移動可能に保持する上パネル保持手段を有する、ことを特徴とする操作デスク。
【請求項５】
請求項２または４記載の操作デスクにおいて、
前記前パネルの代わりにトレイ状とした下パネルを有し、かつ、前記前パネル保持手段の代わりに前後方向にスライド移動可能に保持する下パネル保持手段を有する、ことを特徴とする操作デスク。
【発明の詳細な説明】
【技術分野】
【０００１】
本発明は、各種電気部品を収納する操作デスクに関する。
【背景技術】
【０００２】
各種制御用品を収納する操作デスクが広く知られている。従来の操作デスクでは、デスク前面に取り付けしきれない用品をデスク後面に取り付ける必要がある。そのため、作業者は前面・後面からの配線・外線接続・保守等の作業を行っている。
【先行技術文献】
【特許文献】
【０００３】
【特許文献１】特開平２−７０２０９号公報
【発明の概要】
【発明が解決しようとする課題】
【０００４】
ところで、従来の操作デスクでは、デスク前面側に取り付けしきれない部品をデスク後面側（背面側）に取り付けている。従って、部品の取り付け作業や操作デスクのメンテナンス作業を行う際、作業員が操作デスクの後面側にまわり込んで作業を行う必要がある。このため、操作デスクを設置する際に操作デスクと室内壁面との間に作業員が入り込むスペースを確保しておく必要があり、設置スペースの増大を招くという問題があった。そして、操作デスクと室内壁面との間に形成された小さなスペースで作業員がメンテナンス等の作業を行うので作業性が良くなく、操作デスクの前面側（正面側）での作業に比べ、作業時間が大幅にかかるという問題もあった。近年、操作デスクでは、メンテナンスの作業性の改善に対する要望が益々求められてきており、この問題の解決が急がれている。
【０００５】
本発明は上記課題に鑑みてなされたものであり、操作デスクの後面側で作業をする必要がない操作デスクを提供することを課題とする。
【課題を解決するための手段】
【０００６】
請求項１に係る発明は、電気部品を前面に取付可能な前パネルおよび後パネルをデスク内に備えた操作デスクであって、デスク上面側を構成する開閉可能なデスクパネルと、デスク前面側に開閉可能な扉と、前記後パネルを上下方向にスライド移動可能に保持する後パネル保持手段と、を備えたことを特徴とする。
【０００７】
これにより、後パネルのメンテナンス時には後パネルを上方向へスライドさせて作業し、前パネルのメンテナンス時には前扉から作業する事によって、操作デスク後面での作業を無くす事が可能となる。従って、作業時間の短縮を図る事が出来るとともに、操作デスクの後面（背面）にメンテナンス用のスペースを形成する必要がないので、必要な設置スペースを縮小することが可能になる。
【０００８】
請求項２に係る発明は、請求項１記載の操作デスクにおいて、前記前パネルを前後方向にスライド移動可能に保持する前パネル保持手段を有する、ことを特徴とする。
【０００９】
デスク前面側の扉を開いて前パネルを前方向にスライド移動させることにより、デスク内部に取り付けられている電気部品の配線・保守等の作業の際、デスク内に潜り込む等の困難な体勢での作業は不要となり、作業性の向上、作業時間の短縮を図ることができる。
【００１０】
請求項３に係る発明は、請求項１記載の操作デスクにおいて、前記前パネルを上下方向にスライド移動可能に保持する前パネル保持手段を有する、ことを特徴とする。
【００１１】
前パネルを上下方向にスライド移動可能にすることにより、前パネルおよび後パネルの双方共上下方向へスライド移動させる事が可能な操作デスクとすることができる。
【００１２】
請求項４に係る発明は、請求項１乃至３のいずれかに記載の操作デスクにおいて、前記後パネルの代わりに、上側に物品を載置可能な置き台形状とするとともに上下方向にスライド移動可能とした上パネルを有することを特徴とする。
【００１３】
これにより、後パネルにパソコン等の電気部品を載せることが可能な操作デスクとすることができる。
【００１４】
請求項５に係る発明は、請求項２または請求項４記載の操作デスクにおいて、前記前パネルの代わりに、上側に物品を載置可能な置き台形状とするとともに前後方向にスライド移動可能とした下パネルを有することを特徴とする。
【００１５】
これにより、下パネルに電気部品を載せて前後方向へスライド移動させる事が可能な操作デスクとすることができる。
【発明の効果】
【００１６】
本発明によれば、操作デスクの後面側で作業をする必要がない操作デスクが実現される。
【図面の簡単な説明】
【００１７】
【図１】第１実施形態に係る操作デスクの斜視図である。
【図２】第１実施形態で、前パネルおよび後パネルを盤外でのパネル内配線する事を示す斜視図である。
【図３】第１実施形態で、デスク操作面から前パネルおよび後パネルまでの盤内配線を示す斜視図である。
【図４】第１実施形態で、（ａ）は後パネルをスライド移動させていないときのケーブル配線状況を示す斜視図、（ｂ）は後パネルをスライド移動させているときのケーブル配線状況を示す斜視図である。
【図５】第２実施形態に係る操作デスクの斜視図である。
【図６】第２実施形態で、前パネル,後パネルを共にスライド移動させているときのケーブル配線状況を示す斜視図である。
【図７】第３実施形態に係る操作デスクの斜視図である。
【図８】第４実施形態に係る操作デスクの斜視図である。
【図９】第５実施形態で、（ａ）は操作デスクの斜視図、（ｂ）はユーザーの使用例を示す斜視図である。
【図１０】従来の操作デスクの一例の構成を示す斜視図である。
【図１１】従来の操作デスクの一例の後面斜視図である。
【発明を実施するための形態】
【００１８】
以下、本発明の実施の形態について説明する。なお、第２実施形態以下では、すでに説明したものと同様の構成要素には同じ符号を付してその説明を省略する。
【００１９】
［第１実施形態］
まず、第１実施形態について説明する。図１は、本実施形態に係る操作デスクの斜視図である。図２は、本実施形態で、前パネル（１０）および後パネル（１１）の盤外でのパネル内配線を示す斜視図である。図３は、本実施形態で、デスク操作面（７Ｕ）から前パネル（１０）および後パネル（１１）までの盤内配線を示す斜視図である。図４で、（ａ）は後パネル（１１）をスライド移動させていないときのケーブル配線状況を示す斜視図、（ｂ）は後パネル（１１）をスライド移動させているときのケーブル配線状況を示す斜視図である。
【００２０】
操作デスク（５）は、デスク操作面（７Ｕ）が形成されデスク上面側を構成する開閉可能なデスクパネル（７）と、前面側（正面側）に開閉可能な扉（６）と、を備えている。更に、操作デスク（５）は、デスク筐体内に、各種の制御機器（電気部品）を前面に取付可能な前パネル（１０）および後パネル（１１）と、後パネル（１１）を上下方向にスライド移動可能に保持する後パネル保持機構（９）とを備えている。
【００２１】
後パネル保持機構（９）は、後パネル（１１）を上下方向にスライド移動可能に保持するスライドレール（１４Ｖ）を備えている。
【００２２】
（作用、効果）
以下、本実施形態の作用、効果について説明する。本実施形態では、まず、図４に示すように、前パネル（１０）には主に、操作が必要な用品であるサーキットブレーカ（２０）、コンセント（２１）等を取り付け、後パネル（１１）には操作頻度の少ないＩＯ（２２）、端子台（２３）、電源装置（２４）等を取り付ける。前パネル（１０）と後パネル（１１）については、操作デスク内へ収納する前に、予め操作デスク外にてパネル内の用品（電気部品）の取り付け及び配線を行う。前パネル（１０）と後パネル（１１）には固定側コネクタ（３４）を設けておくことにより、前パネル（１０）と後パネル（１１）に取り付けられている各電気部品との接続を盤外で行う事が出来る。
【００２３】
図１に示すように、スライドレール（１４Ｖ）に取り付けられた後パネル（１１）は、操作デスク（５）の収納時、後パネル（１１）を後パネル収納位置（１１Ａ）に収納する。この様に収納された後パネル（１１）では、両側面に取り付けたスライドレール（１４Ｖ）にて後パネル（１１）を上方向へとスライド移動可能となっている。また、スライドレール（１４Ｖ）は、後パネル（１１）から取り外し可能とされている。
【００２４】
図４（ａ）に示すように、後パネル（１１）をスライド移動させていないときには、金物（３１）に取り付けた配線レール（３６）に専用ケーブル（３５）をインシュロック等で固定しておく。後パネル（１１）を上方向にスライド移動させたときにケーブル余長に余裕が有る状態にしておくことにより、図４（ｂ）に示すように、専用ケーブル（３５）の断線や他のケーブルへの干渉を避ける事が出来る。
【００２５】
また、図３に示すように、予め配線を行った前パネル（１０）と後パネル（１１）を操作デスク（５）に収納した後に前パネル（１０）および後パネル（１１）をデスク操作面（７Ｕ）に接続するため、前パネル（１０）および後パネル（１１）だけでなくデスク操作面（７Ｕ）にも固定側コネクタ（３４）を設けておき、専用ケーブル（３５）の可動側コネクタ（３４Ａ）と、前パネル（１０）、後パネル（１１）やデスク操作面（７Ｕ）の固定側コネクタ（３４）と、を接続する。
【００２６】
以上説明したように、本実施形態の操作デスク（５）では、用品である電気部品の取り付けをDINレール（１３２）ではなく前パネル（１０）への取り付けとしている。従って、デスク内部に取り付けられているサーキットブレーカ（２０）、コンセント（２１）等の配線・保守等の作業ではパネル前面からの作業とすることができ、前パネル（１０）と後パネル（１１）への電気部品の取付けおよび配線を盤外で行う事が出来る。
【００２７】
また、従来では操作デスク後面に取り付けられていたＩＯ（２２）、端子台（２３）、電源装置（２４）等を後パネル（１１）への取り付けとし、後パネル（１１）をスライドレール（１４Ｖ）にて上方向へスライド移動させる事ができる。従って、操作デスク後面でのメンテナンス作業をしなくても済むので、作業時間の短縮を図る事が出来るとともに、操作デスクの後面（背面）を壁に近づけて設置することで必要な設置スペースを大幅に縮小することができ、設置場所の自由度が高まる。
【００２８】
しかも、使用者が操作するサーキットブレーカ（２０）・コンセント（２１）等の用品を取り付ける前パネル（１０）と、通常では使用者が操作しない端子台（２３）、ＩＯ（２２）、電源装置（２４）等を取り付ける後パネル（１１）とを設けているので、使用者が使用する上で利便性が良い。
【００２９】
また、デスク操作面（７Ｕ）と前パネル（１０）、後パネル（１１）との間の配線は専用ケーブル（３５）でのコネクタ接続となるため、配線本数の削減と作業時間短縮を図る事が出来る。
【００３０】
［第２実施形態］
つぎに、第２実施形態について説明する。図５は、本実施形態に係る操作デスクの斜視図であり、図１の前パネルを前後方向にスライド移動可能にしたものである。図６は第１実施形態の説明で使用した図４（ｂ）に対応したものであり、前パネル（１０）,後パネル（１１）を共にスライド移動させているときのケーブル配線状況を示す斜視図である。
【００３１】
操作デスク（５）は、第１実施形態で説明した構成に加えて、前パネル（１０）を前後方向にスライド移動可能に保持する前パネル保持機構（８）を備えている。
【００３２】
前パネル保持機構（８）は、前パネル（１０）の両側部側に、前パネル（１０）を前後方向にスライド移動可能に保持するスライドレール（１４Ｈ）を備えている。また、スライドレール（１４Ｈ）は、前パネル（１０）から取り外し可能とされている。さらに図６に示すように、前パネル（１０）を前方向にスライド移動させたときにもケーブル余長に余裕が有る状態にしておくことにより、専用ケーブル（３５）の断線や他のケーブルへの干渉を避ける事が出来る。
【００３３】
これにより、本実施形態の操作デスク（５）では、前パネル（１０）を前パネル収納位置（１０Ａ）からスライドレール（１４Ｈ）にて前方向へスライドさせる事ができる。従って、デスク内に潜り込む等の困難な体勢での作業は不要となり、作業性の向上、作業時間の短縮を図ることができる。
【００３４】
［第３実施形態］
次に、第３実施形態について説明する。図７は、本実施形態に係る操作デスクの斜視図である。第２実施形態では、前パネル（１０）が前方向へスライドし、後パネル（１１）が上方向へスライドする構成を述べたが、本実施形態では、図７に示すように、前パネル（１０）を上下方向にスライド移動可能とするスライドレール（４４Ｖ）を設ける。
【００３５】
これにより、前パネル（１０）および後パネル（１１）を各々前パネル収納位置（１０Ｂ）および後パネル収納位置（１１Ｂ）に収納した上で、双方共上方向へスライド移動させる事が可能である。
【００３６】
［第４実施形態］
次に、第４実施形態について説明する。図８は、本実施形態に係る操作デスクの斜視図である。第１実施形態乃至第３実施形態では、前パネル（１０）と後パネル（１１）を有する構成で説明したが、本実施形態では、図８に示すように、前パネル（１０）と上パネル（５２）を有する構成、すなわち、後パネル（１１）に代えて上下方向にスライド移動可能な上パネル（５２）を設け、上パネル（５２）を上パネル収納位置（５２Ｃ）に収納可能とする。そして、上パネル（５２）については置き台形状としてパソコン（６５）等の用品を載置可能にするとともにスライドレール（５４Ｖ）にて上下方向へスライド移動可能とし、前パネル（１０）にはサーキットブレーカ（２０）やコンセント（２１）等の操作が必要となる用品を取り付ける。これにより、パソコン（６５）とサーキットブレーカ（２０）、コンセント（２１）等の用品を収納した複合デスクの構成にする事が可能である。
【００３７】
［第５実施形態］
次に、第５実施形態について説明する。図９で、（ａ）は本実施形態に係る操作デスクの斜視図、（ｂ）はユーザーの使用例を示す斜視図である。第４実施形態では、上パネル（５２）と前パネル（１０）からなる構成を述べたが、本実施形態では、図９に示すように、上パネル（５２）と下パネル（６０）という構成、すなわち前パネル（１０）に代えて前後方向にスライド移動可能な下パネル（６０）を設け、下パネル（６０）を上パネル（５２）と同様に置き台形状とし、下パネル（６０）を下パネル収納位置（６０Ｂ）に収納可能とする。そして、下パネル（６０）にHUB（６６）等を載せ、スライドレール（１４Ｈ）にて前後方向へとスライドさせる。これにより、パソコン（６５）とHUB（６６）を収納したパソコン収納デスクの構成とする事が出来、デスクパネル（７）を閉めた状態時にはキーボード（６７）やディスプレイ（６８）等の用品をデスク操作面（７Ｕ）に搭載する事が可能である。ここで、上パネル収納位置（５２Ｂ）については、下パネル（６０）に搭載可能とする搭載物の高さを考慮して決定する。
【００３８】
なお、上パネル（５２）と下パネル（６０）に載せるものは、パソコン（６５）やHUB（６６）以外のものとすることはもちろん可能である。
【００３９】
以上、いくつかの実施形態を説明したが、これらの実施形態は、例として提示したものであり、発明の範囲はそれらに限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【００４０】
（比較検討例）
図１０は従来の操作デスクの一例の構成を示す斜視図である。図１０に示すように、従来の操作デスク（１０５）は、内部の右側面、左側面、および、中央に、DINレール（１３２）を取り付けるための柱（１３１）が存在する。この柱（１３１）へDINレール（１３２）を取り付け、その後にDINレール（１３２）へ用品を取り付けている。前面には操作が必要な用品（電気部品）であるサーキットブレーカ（１２０）、コンセント（１２１）等を取り付け、後面には操作頻度の少ないＩＯ（１２２）、端子台（１２３）、電源装置（１２４）等を取り付けている。後面への用品取り付け方法も前面の取り付け方法と同様に、柱（１３１）へDINレール（１３２）を取り付け後に用品を取り付けている。
【００４１】
図１１は従来の操作デスク（１０５）の後面斜視図（背面斜視図）である。従来の操作デスク（１０５）の後面には操作頻度の少ないＩＯ（１２２）、端子台（１２３）、電源装置（１２４）等の用品が取り付けられており、後面は操作デスク据付のスペース上、扉ではなく後面用塞ぎ板（１３３）にて塞がれる。
【００４２】
このような従来の操作デスク（１０５）では、部品の取り付け作業や操作デスク（１０５）のメンテナンス作業を行う際、作業員が操作デスク（１０５）の後面側にまわり込んで作業を行う必要がある。このため、操作デスク（１０５）を設置する際に操作デスク（１０５）と室内壁面との間に作業員が入り込むスペースを確保しておく必要がある。そして、操作デスク（１０５）と室内壁面との間に形成された小さなスペースで作業員がメンテナンス等の作業を行うので作業性が良くなく、操作デスク（１０５）の前面側（正面側）での作業に比べ、作業時間が大幅にかかる。
【００４３】
一方、第１〜第３実施形態の操作デスク（５）では、従来では操作デスク後面に取り付けられていたＩＯ（２２）、端子台（２３）、電源装置（２４）等は後パネル（１１）への取り付けとし、後パネル（１１）をスライドレール（１４Ｖ）にて上方向へスライドさせる事により、操作デスク後面での作業を無くす事が可能となる。これにより作業時間の短縮化が図られるとともに、操作デスク（５）の設置に必要なスペースを大幅に低減させることができる。
【００４４】
また、デスク操作面（７Ｕ）と前パネル（１０）、後パネル（１１）との間の配線は専用ケーブル（３５）でのコネクタ接続となるため、配線本数の削減と作業時間短縮を図る事が出来る。
【００４５】
更に、電気部品を取り付ける際に、DINレール（１３２）ではなく、スライドレール（１４Ｈ）にて前方向へスライド移動可能な前パネル（１０）に取り付けることができる。従って、作業性の向上、作業時間の短縮を図ることができる。
【符号の説明】
【００４６】
５  操作デスク
６  扉
７  デスクパネル
７Ｕ  デスク操作面
１０  前パネル
１０Ａ  前パネル収納位置
１０Ｂ  前パネル収納位置
１１  後パネル
１１Ａ  後パネル収納位置
１１Ｂ  後パネル収納位置
８  前パネル保持機構（前パネル保持手段）
９  後パネル保持機構（後パネル保持手段）
１４Ｈ  スライドレール（前パネル保持手段）
１４Ｖ  スライドレール（後パネル保持手段）
２０  サーキットブレーカ（電気部品）
２１  コンセント（電気部品）
２２  ＩＯ（電気部品）、
２３  端子台（電気部品）
２４  電源装置（電気部品）
３１  金物
３４  固定側コネクタ（電気部品）
３４Ａ  可動側コネクタ（電気部品）
３５  専用ケーブル
３６  配線レール
４４Ｖ  スライドレール（後パネル保持手段）
５２  上パネル（後パネル）
５２Ｃ  上パネル（後パネル）収納位置
５４Ｖ  スライドレール（後パネル保持手段）
６０  下パネル（前パネル）
６０Ｂ  下パネル（前パネル）収納位置
６５  パソコン
６６  ＨＵＢ
６７  キーボード
６８  ディスプレイ
１０５  従来の操作デスク
１２０  サーキットブレーカ（電気部品）
１２１  コンセント（電気部品）
１２２  ＩＯ（電気部品）
１２３  端子台（電気部品）
１２４  電源装置（電気部品）
１３１  柱
１３２  ＤＩＮレール
１３３  後面用塞ぎ板
【図１】
0005913998.tif 000002
【図２】
0005913998.tif 000003
【図３】
0005913998.tif 000004
【図４】
0005913998.tif 000005
【図５】
0005913998.tif 000006
【図６】
0005913998.tif 000007
【図７】
0005913998.tif 000008
【図８】
0005913998.tif 000009
【図９】
0005913998.tif 000010
【図１０】
0005913998.tif 000011
【図１１】
0005913998.tif 000012